(57)【特許請求の範囲】
【請求項１】
発電装置および蓄電装置からの電力を複数の負荷に供給可能な電力供給システムであって、
電力の供給を停止する前記負荷夫々の順位を示す優先順位情報を記憶する記憶手段と、
前記発電装置による発電量と前記負荷夫々による電力消費量とを予測する第１予測手段と、
前記予測された発電量と電力消費量とに基づいて、前記蓄電装置に蓄電される蓄電量を予測する第２予測手段と、
前記第２予測手段により前記蓄電装置の蓄電量が負の値になることが予測された時刻を含む時間帯において、前記記憶された優先順位情報に基づく順序で、前記複数の負荷夫々への電力の供給を遮断することを示す負荷遮断計画情報を生成する計画手段と、
前記負荷遮断計画情報に示される、前記負荷夫々の電力供給の停止時間帯を表示する表示手段と、
を具備することを特徴とする電力供給システム。
【請求項２】
請求項１に記載の電力供給システムにおいて、
さらに、前記負荷遮断計画情報に基づいて前記負荷夫々への電力供給を停止する制御手段を具備することを特徴とする電力供給システム。
【請求項３】
請求項２に記載の電力供給システムにおいて、
前記制御手段は、既定時刻における前記蓄電量がゼロになるように、前記負荷への電力供給を一部復帰させることを特徴とする電力供給システム。
【請求項４】
請求項１に記載の電力供給システムにおいて、
天候を示す第１天候情報と、前記発電装置による一定時間毎の発電量及び前記負荷による一定時間毎の電力消費量を示す電力情報とが関連付けられた電力実績情報を記憶する電力実績情報記憶手段を更に備え、
前記第１予測手段は、
日付を示す日付情報と、天候を示す第２天候情報とが関連付けられた天気予報情報を取得する手段と、
前記取得した天気予報情報内の第２天候情報により示される天候に一致する天候を示す第１天候情報をもつ電力実績情報を前記電力実績情報記憶手段から読出す手段と、
前記取得した天気予報情報内の日付情報が示す日付における前記発電装置による発電量と前記負荷による電力消費量とを、前記読出した電力実績情報に基づいて予測する手段とを備えたことを特徴とする電力供給システム。
【請求項５】
請求項４に記載の電力供給システムにおいて、
前記蓄電装置に予め蓄電された電力を示す初期蓄電量を前記蓄電装置から取得する初期蓄電量取得手段を更に備え、
前記第２予測手段は、
前記取得された天気予報情報内の日付情報が示す日付における前記蓄電装置に蓄電される蓄電量を、前記予測された発電量及び前記取得された初期蓄電量と、前記予測された電力消費量との差分に基づいて予測する手段を備えたことを特徴とする電力供給システム。
【請求項６】
発電装置および蓄電装置から複数の負荷に供給される電力量を制御する制御装置であって、
電力の供給を停止する前記負荷夫々の順位を示す優先順位情報を記憶する記憶手段と、
前記発電装置による発電量と前記負荷夫々による電力消費量とを予測する第１予測手段と、
前記予測された発電量と電力消費量とに基づいて、前記蓄電装置に蓄電される蓄電量を予測する第２予測手段と、
前記第２予測手段により前記蓄電装置の蓄電量が負の値になることが予測された時刻を含む時間帯において、前記記憶された優先順位情報に基づく順序で、前記複数の負荷夫々への電力の供給を遮断することを示す負荷遮断計画情報を生成する計画手段と、
前記負荷遮断計画情報に示される、前記負荷夫々の電力供給の停止時間帯を当該停止時間帯を表示する表示手段に送信する送信手段と、
を具備することを特徴とする制御装置。
【請求項７】
請求項６に記載の制御装置において、
さらに、前記負荷遮断計画情報に基づいて前記負荷夫々への電力供給を停止する制御手段を具備することを特徴とする制御装置。
【請求項８】
請求項７に記載の制御装置において、
前記制御手段は、既定時刻における前記蓄電量がゼロになるように、前記負荷への電力供給を一部復帰させることを特徴とする制御装置。
【請求項９】
発電装置および蓄電装置から複数の負荷に供給される電力量を制御するコンピュータにより実行されるプログラムであって、前記コンピュータを、
電力の供給を停止する前記負荷夫々の順位を示す優先順位情報を記憶する記憶手段と、
前記発電装置による発電量と前記負荷夫々による電力消費量とを予測する第１予測手段と、
前記予測された発電量と電力消費量とに基づいて、前記蓄電装置に蓄電される蓄電量を予測する第２予測手段と、
前記第２予測手段により前記蓄電装置の蓄電量が負の値になることが予測された時刻を含む時間帯において、前記記憶された優先順位情報に基づく順序で、前記複数の負荷夫々への電力の供給を遮断することを示す負荷遮断計画情報を生成する計画手段と、
前記負荷遮断計画情報に示される、前記負荷夫々の電力供給の停止時間帯を当該停止時間帯を表示する表示手段に送信する送信手段、
として動作させることを特徴とするプログラム。
【発明の詳細な説明】
【技術分野】
【０００１】
本発明の実施形態は、電力供給システム、制御装置及びプログラムに関する。
【背景技術】
【０００２】
太陽光発電装置と蓄電装置とを含む自立型電力供給システムは、太陽光発電装置によって発電される電力の一部を負荷に供給し、余剰電力を蓄電装置に充電する。
【０００３】
また、太陽光発電装置によって発電される電力だけでは、負荷に供給する電力を満たせない場合、自立型電力供給システムは蓄電装置に充電された電力を放電する。
【先行技術文献】
【特許文献】
【０００４】
【特許文献１】特開２００２−３５４６７７号公報
【発明の概要】
【発明が解決しようとする課題】
【０００５】
しかしながら、以上のような自立型電力供給システムでは、多大な電力を負荷に供給する場合や日照時間が少なく電力が十分に発電されない場合に、連続して電力を供給することができず、頻繁な停電や長時間の停電が生じるという不都合がある。また、最小限の負荷だけを接続することで連続した電力の供給が可能となるが、本来なら接続可能な負荷までも接続することができず、負荷によって提供される便益が十分に享受できなくなるという不都合がある。
【０００６】
本発明が解決しようとする課題は、最大限の負荷を接続しつつも、連続した電力の供給を可能にする電力供給システム、制御装置及びプログラムを提供することを目的とする。
【課題を解決するための手段】
【０００７】
実施形態の電力供給システムは、発電装置と蓄電装置とを有し、当該発電装置及び当該蓄電装置から複数の負荷へ供給される電力量を制御する。
【０００８】
前記電力供給システムは、優先順位情報記憶手段、第１予測手段、第２予測手段及び電力供給停止手段を備えている。
【０００９】
前記優先順位情報記憶手段は、前記各負荷への電力供給を停止する順位を示す優先順位情報を記憶する。
【００１０】
前記第１予測手段は、前記発電装置による発電量と前記各負荷による電力消費量とを予測する。
【００１１】
前記第２予測手段は、前記予測された発電量と電力消費量とに基づいて、前記蓄電装置に蓄電される蓄電量を予測する。
【００１２】
前記電力供給停止手段は、前記予測された蓄電量が負の値を示すとき、前記記憶された優先順位情報に基づいて、前記各負荷への電力供給を停止する。
【図面の簡単な説明】
【００１３】
【図１】一実施形態に係る電力供給システムの構成例を示す模式図である。
【図２】同実施形態に係る優先順位情報記憶部に係る優先順位情報の構成例を示す模式図である。
【図３】同実施形態に係る電力実績情報記憶部に係る電力実績情報の構成例を示す模式図である。
【図４】同実施形態に係る制御装置の制御動作の一例を示すフローチャートである。
【図５】同実施形態に係る負荷遮断計画部の動作の一例を示すフローチャートである。
【図６】同実施形態に係る負荷遮断計画部により用いられる情報の一例を示す模式図である。
【図７】同実施形態に係る負荷遮断計画部により用いられる情報の一例を示す模式図である。
【図８】同実施形態に係る負荷遮断計画部により用いられる情報の一例を示す模式図である。
【図９】従来の電力供給システムによる発電計画の一例を示す模式図である。
【図１０】同実施形態に係る電力供給システムによる発電計画の一例を示す模式図である。
【図１１】同実施形態に係る電力供給システムによる発電計画の一例を示す模式図である。
【図１２】同実施形態に係る電力供給システムによる発電計画の一例を示す模式図である。
【図１３】同実施形態に係る電力供給システムによる複数日単位の発電計画の一例を示す模式図である。
【図１４】同実施形態に係る電力供給システムによる複数日単位の発電計画の一例を示す模式図である。
【図１５】同実施形態に係る表示装置に表示される画面例を示す模式図である。
【発明を実施するための形態】
【００１４】
以下、一実施形態について図面を参照して説明する。なお、以下の制御装置は、ハードウェア構成、又はハードウェア資源とソフトウェアとの組合せ構成のいずれでも実施可能となっている。組合せ構成のソフトウェアとしては、予めネットワーク又は記憶媒体からコンピュータにインストールされ、制御装置の機能を当該コンピュータに実現させるためのプログラムが用いられる。
【００１５】
図１は、一実施形態に係る電力供給システムの構成例を示す模式図であり、図２は、同実施形態に係る優先順位情報記憶部に記憶される優先順位情報の構成例を示す模式図であって、図３は、同実施形態に係る電力実績情報記憶部に記憶される電力実績情報の構成例を示す模式図である。
【００１６】
なお、本実施形態では、自然エネルギー発電装置の一例として太陽光発電装置を適用した電力供給システムについて説明するが、これに限定されず、例えば、自然エネルギー発電装置として風力発電装置や水力発電装置等を適用してもよい。
【００１７】
電力供給システム１は、図１に示すように、太陽光発電装置１０、蓄電装置２０、複数の負荷装置（以下、負荷と表記する）３０ａ〜３０ｎ、負荷開閉装置４０、制御装置５０、入力装置６０及び表示装置７０を備えている。
【００１８】
太陽光発電装置１０は、太陽電池パネルとパワーコンディショナとを備えている。太陽電池パネルは、太陽光が照射されることで直流電力を発生させる。また、パワーコンディショナは、太陽光電池パネルから生じた直流電力を交流電力に変換する。すなわち、太陽光発電装置１０は、太陽電池パネルにより直流電力を発生させ、パワーコンディショナにより直流電力を交流電力に変換した後に、当該変換した交流電力（以下、電力と表記する）を蓄電装置２０及び各負荷３０ａ〜３０ｎに送出する。
【００１９】
蓄電装置２０は、蓄電池とパワーコンディショナとを備えている。蓄電池は、太陽光発電装置１０により発電された電力を蓄電（充電）する。また、蓄電池は、蓄電された電力を各負荷３０ａ〜３０ｎに送出（放電）する。パワーコンディショナは、蓄電池からの充放電電力が制御装置５０から送信される充放電電力に係る指示信号により示される値に一致するように制御する。
【００２０】
なお、本実施形態では、蓄電装置２０は、定置型蓄電装置であるとするが、これに限定されず、例えば、電気自動車に搭載された蓄電池や定置型蓄電装置と電気自動車に搭載された蓄電池とを組合せた蓄電装置等であってもよい。
【００２１】
負荷開閉装置４０は、各負荷３０ａ〜３０ｎにそれぞれ接続する複数のスイッチを備えており、各スイッチは、制御装置５０からの開閉信号に基づいて開閉処置を実行する。なお、スイッチが制御装置５０からの開信号に基づいて開処理を実行すると、太陽光発電装置１０及び蓄電装置２０からの電力は当該スイッチに接続する負荷に供給されない。また、スイッチが制御装置５０からの閉信号に基づいて閉処理を実行すると、太陽光発電装置１０及び蓄電装置２０からの電力が当該スイッチに接続する負荷に供給される。
【００２２】
ここで、制御装置５０は負荷開閉装置４０内の各スイッチに開閉信号を送信することにより各負荷３０ａ〜３０ｎへの電力供給を制御する装置であり、優先順位情報記憶部５１、電力実績情報記憶部５２、電力予測部５３、蓄電量予測部５４、負荷遮断計画部５５及び負荷制御部５６を備えている。
【００２３】
なお、制御装置５０は、電力供給システム１に含まれる各部に接続されており、制御装置５０は、各部につながっている回線と着脱可能に接続されている。
【００２４】
優先順位情報記憶部５１は、図２に示すように、各負荷３０ａ〜３０ｎへの電力供給を遮断する順位（すなわち、負荷開閉装置４０内の各スイッチに開信号を送信する順位）を示す優先順位情報を記憶している。この優先順位情報は、電力供給を遮断する順位を示す順位情報と、負荷を特定するための負荷識別情報とが関連付けられた情報である。なお、本実施形態において用いられる「遮断」の用語は「停止」に適宜読み替えてもよい。
【００２５】
電力実績情報記憶部５２は、図３に示すように、天候を示す第１天候情報と、太陽光発電装置１０による一定時間毎の発電量及び各負荷による一定時間毎の電力消費量を示す電力情報とが関連付けられた電力実績情報を記憶している。
【００２６】
電力予測部５３は、例えばネットワークを介して、日付を示す日付情報と天候を示す第２天候情報とが関連付けられた天気予報情報を外部装置（図示せず）から取得する。電力予測部５３は、天気予報情報内の第２天候情報により示される天候に一致する天候を示す第１天候情報をもつ電力実績情報を電力実績情報記憶部５２から読出す。また、電力予測部５３は、天気予報情報内の日付情報が示す日付における太陽光発電装置１０による発電量と各負荷３０ａ〜３０ｎによる電力消費量とを、電力実績情報に基づいて予測する（換言すると、電力予測部５３は、太陽光発電装置１０による発電量予測値と各負荷３０ａ〜３０ｎによる電力消費量予測値とを算出する）。更に、電力予測部５３は、当該予測の結果を示す電力予測情報と天気予報情報とを蓄電量予測部５４に送信する。
【００２７】
なお、本実施形態では、第１天候情報及び第２天候情報が、例えば、晴れ、曇り及び雨等の天気を示す情報であるとするが、これに限定されず、例えば、天気に加えて、季節、気温及び湿度等を示す情報であるとしてもよい。
【００２８】
蓄電量予測部５４は、蓄電装置２０内に予め蓄電された初期蓄電量を示す初期蓄電量情報を蓄電装置２０から取得する。また、蓄電量予測部５４は、天気予報情報内の日付情報が示す日付における蓄電装置２０に蓄電される蓄電量を、電力予測情報及び初期蓄電量情報に基づいて予測する（換言すると、蓄電量予測部５４は、蓄電装置２０による蓄電量予測値を算出する）。より詳細には、蓄電量予測部５４は、以下に示す（１）式に基づいて、蓄電量を予測する。
【００２９】
蓄電量予測値(t+1)＝蓄電量予測値(t)＋発電量予測値(t)−電力消費量予測値(t)  （但し、ｔ＝０，１，２，…，２３）                                          …（１）
なお、上記（１）式では、蓄電量予測値(0）（すなわち、t=0）が初期蓄電量情報により示される初期蓄電量である。
【００３０】
更に、蓄電量予測部５４は、当該予測の結果を示す蓄電量予測情報と電力予測情報とを負荷遮断計画部５５に送信する。なお、蓄電量予測情報及び電力予測情報は関連付けて負荷遮断計画部５５に送信されてもよい。
【００３１】
なお、電力予測部５３と蓄電量予測部５４とは、一定時間が経過する毎に、発電量予測値、電力消費量予測値及び蓄電量予測値を再度算出してもよい。この場合、電力予測部５３は、天気予報情報を図示しない外部装置から再度取得する。
【００３２】
また、電力予測部５３と蓄電量予測部５４とは、一定時間が経過する毎に、発電量予測値、電力消費量予測値及び蓄電量予測値と、実際の発電量、電力消費量及び蓄電量とを比較し、当該比較の結果が大きく異なるときは、発電量予測値、電力消費量予測値及び蓄電量予測値を再度算出してもよい。この場合においても、電力予測部５３は、天気予報情報を図示しない外部装置から再度取得する。
【００３３】
負荷遮断計画部５５は、電力予測情報及び蓄電量予測情報に基づいて、当該蓄電量予測情報により示される蓄電量予測値がゼロにならないように、各負荷３０ａ〜３０ｎへの電力供給を停止するタイミングを決定する（換言すると、負荷遮断計画部５５は、どの負荷への電力供給をいつ停止するかを決定する）。また、負荷遮断計画部５５は、当該決定の結果を示す負荷遮断計画情報（発電計画）を負荷制御部５６に送信する。なお、負荷遮断計画情報は、負荷を特定するための負荷識別情報と、電力供給を停止する時刻を示す停止時刻情報とが関連付けられた情報である。
【００３４】
負荷制御部５６は、負荷遮断計画情報に基づいて、各負荷３０ａ〜３０ｎへの電力供給を遮断する信号を示す開信号を負荷開閉装置４０に送信する。より詳細には、負荷制御部５６は、負荷遮断計画情報内の停止時刻情報により示される時刻になると、負荷識別情報により特定される負荷に対しての開信号を負荷開閉装置４０に送信する。また、負荷制御部５６は、負荷遮断計画情報を表示装置７０に送信する。
【００３５】
入力装置６０は、ユーザの操作に応じて、優先順位情報を制御装置５０に送信する。制御装置５０は、入力装置６０から送信された優先順位情報を受信すると、当該受信した優先順位情報を優先順位情報記憶部５１に書込む。
【００３６】
表示装置７０は、制御装置５０内の負荷制御部５６から送信された負荷遮断計画情報を受信すると、当該受信した負荷遮断計画情報を表示画面に表示させる。
【００３７】
次に、以上のように構成された制御装置５０の制御動作の一例について、図４のフローチャートを参照しながら説明する。
【００３８】
始めに、電力予測部５３は、ユーザの操作に応じて、例えばネットワークを介して、図示しない外部装置から天気予報情報を取得する（ステップＳ１）。
【００３９】
続いて、電力予測部５３は、当該取得した天気予報情報内の第２天候情報により示される天候に一致する天候を示す第１天候情報をもつ電力実績情報を電力実績情報記憶部５２から読出す（ステップＳ２）。
【００４０】
次に、電力予測部５３は、当該取得した天気予報情報内の日付情報が示す日付における一定時間毎の発電量予測値と電力消費量予測値とを、当該読出した電力実績情報に基づいて算出する（ステップＳ３）。
【００４１】
また、電力予測部５３は、当該算出した発電量予測値及び電力消費量予測値を電力予測情報として蓄電量予測部５４に送信する。更に、電力予測部５３は、当該取得した天気予報情報を蓄電量予測部５４に送信する。
【００４２】
続いて、蓄電量予測部５４は、電力予測部５３から送信された電力予測情報及び天気予報情報を受信すると、初期蓄電量情報を蓄電装置２０から取得する（ステップＳ４）。
【００４３】
次に、蓄電量予測部５４は、当該受信した天気予報情報内の日付情報が示す日付における一定時間毎の蓄電量予測値を、当該受信した電力予測情報及び当該取得した初期蓄電量情報に基づいて算出する（ステップＳ５）。なお、蓄電量予測部５４は、当該算出した蓄電量予測値を蓄電量予測情報として負荷遮断計画部５５に送信する。また、蓄電量予測部５４は、当該受信した電力予測情報を負荷遮断計画部５５に送信する。
【００４４】
続いて、負荷遮断計画部５５は、蓄電量予測部５４から送信された蓄電量予測情報及び電力予測情報を受信すると、当該受信した蓄電量予測情報により示される蓄電量予測値がゼロにならないように、各負荷への電力供給を遮断するタイミングを決定する（ステップＳ６）。なお、負荷遮断計画部５５は、当該決定の結果を示す負荷遮断計画情報を負荷制御部５６に送信する。
【００４５】
しかる後に、負荷制御部５６は、負荷遮断計画部５５から送信された負荷遮断計画情報を受信すると、当該受信した負荷遮断計画情報に基づいて、負荷開閉装置４０に開信号を送信する（ステップＳ７）。また、負荷制御部５６は、当該受信した負荷遮断計画情報を表示装置７０に送信する。
【００４６】
ここで、負荷遮断計画部５５のより詳細な動作の一例について、図５のフローチャートと、図６〜図８の模式図とを参照しながら説明する。
【００４７】
始めに、負荷遮断計画部５５は、蓄電量予測部５４から送信された蓄電量予測情報及び電力予測情報を受信すると、当該受信した蓄電量予測情報により示される蓄電量予測値に負の値が含まれているか否かを判定する（ステップＳ６−１）。ここでは、負荷遮断計画部５５は、図６に示すように、７時〜１２時と１５時〜２３時とにおいて、蓄電量予測値が負の値を示すと判定する。
【００４８】
なお、ステップＳ６−１の判定の結果が否を示す場合（ステップＳ６−１：「Ｎｏ」）には、負荷遮断計画部５５は、後述するステップＳ６−３の処理により生成される負荷遮断計画情報を負荷制御部５６に送信し、上記ステップＳ７の処理に進む。但し、後述するステップＳ６−３の処理により負荷遮断計画情報が生成されていないにも関わらず、ステップＳ６−１の判定の結果が否を示す場合には、負荷への電力供給を遮断する必要がないとして、制御装置５０での動作を終了させる。
【００４９】
ステップＳ６−１の判定の結果が含まれている旨を示す場合（ステップＳ６−１：「Ｙｅｓ」）には、負荷遮断計画部５５は、順位情報により示される順位が「１位」を示す優先順位情報を優先順位情報記憶部５１から読出す（ステップＳ６−２）。ここでは、負荷遮断計画部５５は、図２に示すように、優先順位情報Ｐ１を優先順位情報記憶部５１から読出す。
【００５０】
続いて、負荷遮断計画部５５は、蓄電量予測値が最小になる時刻「２３時」から前の時刻に向けて、当該読出した優先順位情報Ｐ１内の負荷識別情報により特定される負荷「ｄ」への電力供給を遮断する旨の負荷遮断計画情報を生成する（ステップＳ６−３）。ここでは、負荷遮断計画部５５は、時刻「２１時」の負荷「ｄ」への電力供給を遮断する旨の負荷遮断計画情報を生成する。
【００５１】
しかる後に、負荷遮断計画部５５は、蓄電量予測部５４から送信された電力予測情報内の時刻「２１時」に関連付けられた負荷「ｄ」の電力消費量を「１２００」から「０」に変更した後に、当該変更した電力予測情報を蓄電量予測部５４に送信する（ステップＳ６−４）。
【００５２】
蓄電量予測部５４は、負荷遮断計画部５５から送信された電力予測情報を受信すると、上記ステップＳ５の処理を再度実行し、蓄電量予測値を算出する。
【００５３】
なお、負荷遮断計画部５５は、ステップＳ６−１の処理において否を示すと判定するまで、ステップＳ６−１〜Ｓ６−４の処理を繰り返し実行する。
【００５４】
例えば、負荷遮断計画部５５は、図７に示すように、全ての時刻において、負荷「ｄ」への電力供給を遮断したとしても、７時及び８時と２３時とにおいて、蓄電量予測値が負の値を示すと判定する（ステップＳ６−１）。この場合、負荷遮断計画部５５は、順位情報により示される順位が「２位」を示す優先順位情報Ｐ２を優先順位情報記憶部５１から読出す（ステップＳ６−２）。そして、負荷遮断計画部５５は、蓄電量予測値が最小になる時刻「８時」から前の時刻に向けて、当該読出した優先順位情報Ｐ２内の負荷識別情報により特定される負荷「ｃ」への電力供給を遮断する旨の負荷遮断計画情報を生成する。ここでは、負荷遮断計画部５５は、時刻「８時」の負荷「ｃ」への電力供給を遮断する旨の負荷遮断計画情報を生成する（ステップＳ６−３）。しかる後に、負荷遮断計画部５５は、電力予測情報内の時刻「８時」に関連付けられた負荷「ｃ」の電力消費量を「６００」から「０」に変更した後に、当該変更した電力予測情報を蓄電量予測部５４に送信する（ステップＳ６−４）。
【００５５】
このようにして、ステップＳ６−１〜Ｓ６−４の処理を繰り返し実行し、図８に示すように、ステップＳ６−１の判定の結果が否を示す場合に、負荷遮断計画部５５は、ステップＳ６−３の処理において生成した負荷遮断計画情報を負荷制御部５６に送信する。
【００５６】
ここで、従来の電力供給システムと本実施形態に係る電力供給システムとの違いについて、図９〜図１２の模式図を参照しながら説明する。
【００５７】
ここでは、太陽光発電装置１０または蓄電装置２０が、電力を負荷ａ〜ｄに供給していると仮定する。また、負荷ａは一定の電力を一日中必要とする負荷であり、負荷ｂ，ｃは朝及び晩に電力を必要とする負荷であって、負荷ｄは朝から夕方まで電力を必要とする負荷である。
【００５８】
図９は、従来の電力供給システムによる発電計画の一例を示す模式図である。
【００５９】
従来の電力供給システムでは、天候が悪く、負荷３０ａ〜３０ｎによる電力消費量が太陽光発電装置１０による発電量よりも大きいと、蓄電装置２０に蓄電された電力を各負荷３０ａ〜３０ｎに供給する。このため、例えば図９（ａ）に示すように、朝の時間帯にかけて、全ての負荷ａ〜ｄへの電力供給が始まると、図９（ｂ）に示すように、蓄電装置２０に蓄電された電力がゼロになり、停電を引き起こす。昼の時間帯にかけては、発電量が電力消費量よりも大きくなるため、電力が蓄電装置２０に一時的に蓄電されるが、夕方以降の時間帯にかけては、再度、電力消費量が発電量よりも大きくなるため、蓄電装置２０に蓄電された電力が放電され、停電を引き起こす。
【００６０】
このように、従来の電力供給システムでは、頻繁に停電を引き起こし、安定した電力供給を提供することができない。
【００６１】
図１０〜図１２は、本実施形態に係る電力供給システムによる発電計画の一例を示す模式図である。
【００６２】
ここでは、優先順位情報記憶部５１は、図２に示すような優先順位情報を記憶していると仮定する。
【００６３】
本実施形態に係る電力供給システムでは、天候が悪く、負荷３０ａ〜３０ｎによる電力消費量が太陽光発電装置１０による発電量よりも大きく、蓄電装置２０に蓄電された電力がゼロになると予測されると、優先順位情報記憶部５１に記憶された優先順位情報に基づいて、優先順位の高い負荷への電力供給を遮断する。例えば、電力供給システム１では、図１０（ａ）に示すように、優先順位が最も高い負荷ｄへの電力供給を全て遮断する。これにより、蓄電装置２０は負荷ｄに供給する予定の電力を蓄電することができ、図１０（ｂ）に示すように、従来の電力供給システムに比べて、停電になる時間帯を短縮することができる。
【００６４】
しかしながら、負荷ｄへの電力供給を全て遮断しただけでは停電になる時間帯が残るため、電力供給システム１では、図１１（ａ）に示すように、優先順位が２番目に高い負荷ｃへの電力供給を一部遮断する。これにより、蓄電装置２０は負荷ｃに供給する予定の一部の電力を蓄電することができ、図１１（ｂ）に示すように、停電になる時間帯をなくすことができる。
【００６５】
また、電力供給システム１では、図１２（ａ），（ｂ）に示すように、蓄電装置２０に蓄電された電力が２４時にゼロになるように、負荷ｃへの電力供給を一部復帰させることも可能である。
【００６６】
このように、本実施形態に係る電力供給システムは、従来の電力供給システムとは異なり、停電になる時間帯をなくし、安定した電力供給を提供することができる。
【００６７】
また、本実施形態では、制御装置５０が１日単位の負荷遮断計画情報を生成するとしたが、これに限定されず、例えば、複数日単位の負荷遮断計画情報を生成してもよい。
【００６８】
図１３，１４は、本実施形態に係る電力供給システムによる複数日単位の発電計画の一例を示す模式図である。
【００６９】
ここでは、図１３（ａ）に示すように、太陽光発電装置１０による２日目の発電量が１日目と３日目とに比べて小さく、全ての負荷ａ〜ｄに電力を供給すると、図１３（ｂ）に示すように、蓄電装置２０に蓄電された電力がゼロになり、２日目から３日目にかけて断続的に停電を引き起こす。このため、制御装置５０は、図１４（ａ）に示すように、優先順位が高い負荷ｄ、ｃ、ｂの順に電力供給を遮断する。これにより、蓄電装置２０は負荷ｂ〜ｄに供給する予定の電力を蓄電することができ、図１４（ｂ）に示すように、停電になる時間帯をなくすことができる。
【００７０】
この場合、制御装置５０は、１日目から３日目までの発電量予測値、電力消費量予測値及び蓄電量予測値を算出する必要があるため、実績情報記憶部５２や図示しない外部装置から３日分の情報を取得する必要がある。
【００７１】
なお、制御装置５０により生成された３日分の負荷遮断計画情報は、例えば、図１５に示すように、表示装置７０の表示画面Ｇ１に表示される。
【００７２】
以上説明した一実施形態によれば、電力実績情報に基づいて発電量と電力消費量とを予測する電力予測部５３と、電力予測部５３による予測の結果を示す電力予測情報に基づいて蓄電量を予測する蓄電量予測部５４と、優先順位情報に基づいて、蓄電量予測部５４により予測された蓄電量がゼロにならないように各負荷３０ａ〜３０ｎへの電力供給を遮断する旨の負荷遮断計画情報を生成する負荷遮断計画部５５と、負荷遮断計画部５５により生成された負荷遮断計画情報に基づいて、負荷開閉装置４０に開信号を送信する負荷制御部５６とを備えた構成により、最大限の負荷を接続しつつも、連続して電力を供給することができる。
【００７３】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
１…電力供給システム、１０…太陽光発電装置、２０…蓄電装置、３０ａ〜３０ｎ…負荷装置、４０…負荷開閉装置、５０…制御装置、５１…優先順位情報記憶部、５２…電力実績情報記憶部、５３…電力予測部、５４…蓄電量予測部、５５…負荷遮断計画部、５６…負荷制御部、６０…入力装置、７０…表示装置、Ｇ１…表示画面、Ｐ１，Ｐ２…優先順位情報。
【図１】
0005847599.tif 000002
【図２】
0005847599.tif 000003
【図３】
0005847599.tif 000004
【図４】
0005847599.tif 000005
【図５】
0005847599.tif 000006
【図６】
0005847599.tif 000007
【図７】
0005847599.tif 000008
【図８】
0005847599.tif 000009
【図９】
0005847599.tif 000010
【図１０】
0005847599.tif 000011
【図１１】
0005847599.tif 000012
【図１２】
0005847599.tif 000013
【図１３】
0005847599.tif 000014
【図１４】
0005847599.tif 000015
【図１５】
0005847599.tif 000016